(57)【要約】    【課題】立体装飾物を収容できる額縁において、立体装飾物を簡便に取り替えることが出来るようにする。    【解決手段】外枠１０の前面にガラス板２０が嵌めこまれ、ガラス板２０の周縁部には内枠３０が設けられ、内枠３０と係合片１１とでガラス板２０を挟持し、内枠３０の後面側には立体装飾体４０が設けられている。立体装飾体４０は装飾板４１と立体装飾物としてのプリザーブドフラワー４２とからなり、装飾板４１の中央部分に、写真を露出させるための中抜き窓４３が形成されている。装飾板４１は内枠３０を介してガラス板２０と対向した状態となっており、この装飾４１とガラス板２０とで囲まれた空間部１２にプリザーブドフラワー４２が収容されている。立体装飾体４０の装飾板４１の後面には湿気吸着剤及び化学物質吸着剤が混入された乾燥板材５０及び裏板６０とが連続して設けられている。乾燥板材５０には、額装しようとする写真が配置される。【選択図】  図４
0003198390.tif 000002
【実用新案登録請求の範囲】
【請求項１】
前面及び後面に開口部を有するとともに内部に立体装飾物を収容できる空間部を有する外枠と、該外枠の前面開口部に設けられた透明板と、該外枠の後面開口部に着脱自在に設けられ被額装物が直接又は間接的に固定される裏板と、該外枠の空間部に着脱自在に設けられた立体装飾体とを具備し、該立体装飾体は、被額装物を露出させる中抜き窓が形成された装飾板と、該装飾板に固定された立体装飾物とからなり、該装飾板の周縁部を、外枠の後面開口部近傍に設けられた段部と該裏板とで挟持すること特徴とする額縁。
【請求項２】
前記裏板の内面略全面に、湿気を吸収する乾燥板材が設けられていることを特徴とする請求項１記載の額縁。
【請求項３】
前記立体装飾物がプリザーブドフラワーであることを特徴とする請求項１又は２記載の額縁。
【考案の詳細な説明】
【技術分野】
【０００１】
本考案は、プリザーブドフラワー等の立体装飾物を内部に収容した額縁に関し、さらに詳しくは、立体装飾物を簡便に交換することが出来るようにした額縁に関するものである。
【背景技術】
【０００２】
一般に、写真、書画等を飾る際は額装することにより行っており、このような額装に使用する額縁としては、前面に透明なガラス板等が固着された外枠と、この外枠の後面に着脱自在に設けられた裏板とを有し、この裏板の内面に写真等を固定するものであった。
【０００３】
しかしながら、このような額縁においては、被額装物である写真、書画等は単に平面的なものであるので、全体的な意匠性に乏しいものであった。そこで、額縁内部にドライフラワー等の立体的な装飾物を収容できるようにすることにより、意匠性を向上させた額縁が提案されている（例えば、特許文献１参照）。
【先行技術文献】
【特許文献】
【０００４】
【特許文献１】特開平１０−３３８０００号公報
【考案の概要】
【考案が解決しようとする課題】
【０００５】
ところで、額縁内部に収容した立体的な装飾物、例えばドライフラワー等は、紫外線、湿度、温度、化学物質等の影響を受け、経年劣化するものである。すなわち、彩度や明度が低下したり、また変色したりして額装当初の綺麗な状態を長期間維持することが出来ないものであった。その結果、ある程度の年数が経過すると、ドライフラワー等を新しく綺麗なものに取り替えることが要望されていた。
【０００６】
また、長期間同じドライフラワーであると、額装当初の新鮮な美感が薄れていき、新たな美感を求めてドライフラワーを取り替えることが要望されており、さらに、季節に応じて、その季節感を表現するドライフラワーを飾ることが要望されていた。
【０００７】
以上のように、立体的な装飾物を収容する額縁においては、その装飾物を取り替えることが要望されていたが、前記額縁においては、その構造が複雑なことから、立体的な装飾物の取替えが極めて面倒なものであった。
【０００８】
本考案は、以上の問題点を解決し、立体的な装飾物を簡便に取り替えることが出来る額縁を提供することを目的とする。
【課題を解決するための手段】
【０００９】
本考案者は、上述した課題を解決すべく鋭意検討した結果、中抜き窓を形成した装飾板に立体装飾物を設け、この装飾板を外枠と裏板とで挟持する構造とすることにより、極めて簡便に立体装飾物を取り出せることを見出し、本考案を完成させたものである。
【００１０】
すなわち、請求項１に係る額縁は、前面及び後面に開口部を有するとともに内部に立体装飾物を収容できる空間部を有する外枠と、該外枠の前面開口部に設けられた透明板と、該外枠の後面開口部に着脱自在に設けられ被額装物が直接又は間接的に固定される裏板と、該外枠の空間部に着脱自在に設けられた立体装飾体とを具備し、該立体装飾体は、被額装物を露出させる中抜き窓が形成された装飾板と、該装飾板に固定された立体装飾物とからなり、該装飾板の周縁部を、外枠の後面開口部近傍に設けられた段部と該裏板とで挟持することを特徴として構成されている。
【００１１】
請求項２に係る額縁は、前記請求項１に係る額縁において、裏板の内面略全面に、湿気を吸収する乾燥板材が設けられていることを特徴として構成されている。
【００１２】
請求項３に係る額縁は、前記請求項１又は２に係る額縁において、立体装飾物がプリザーブドフラワーであることを特徴として構成されている。
【考案の効果】
【００１３】
請求項１に係る額縁においては、外枠の空間部に立体装飾体が着脱自在に設けられ、この立体装飾体は、装飾板と、装飾板に固定された立体装飾物とで構成されており、装飾板の周縁部が外枠の後面開口部近傍に設けられた段部と裏板とで挟持されている。したがって、裏板を外枠から取り外すことにより、立体装飾体は挟持から開放され、そのまま極めて簡単に取り出すことが出来、また、立体装飾体の装飾板を段部に係合させるだけで新たな立体装飾体を簡単に取り付けることが出来る。また、立体装飾体の装飾板には中抜き窓が形成されており、この中抜き窓に対応する個所には被額装物が配置されるので、中抜き窓を介して被額装物を見ることができ、さらに、被額装物の周囲に立体装飾物が配置されることとなるので、立体感のある美観を看取することが出来る。
【００１４】
請求項２に係る額物においては、裏板の内面略全面に湿気を吸収する乾燥板材が設けられている。したがって、乾燥板材は、額物に内部空間、すなわち外枠と、透明板と乾燥板材とで囲繞された内部空間の湿気を吸収するので、内部空間を乾燥した状態に維持することが出来る。その結果、湿気に弱い立体装飾物、例えばドライフラワー、プリザーブドフラワー等であっても、長期間変質することなく当初の状態を維持することが出来るとともに、被額装物である写真等においても変質を抑制することが出来る。特に、プリザーブドフラワーの場合に効果的である。すなわち、プリザーブドフラワーは、生花を特殊な溶液に浸漬して脱水処理するものであるので、湿気に脆弱であり、湿度の低い乾燥状態に維持することが要求されている。さらに、乾燥板材は、裏板と被額装物との間に配置されることとなるので、裏板が写真に退色や変色を与える化学物質を発生するものであっても、乾燥板材がその化学物質を遮断するので、退色や変色を抑制することが出来る。
【００１５】
請求項３に係る額縁においては、立体装飾物がプリザーブドフラワーであるので、生花に近い美感を奏することが出来る。
【図面の簡単な説明】
【００１６】
【図１】本考案の遺影を額装した状態の額縁の正面図。
【図２】図１中II-II縦断面図。
【図３】図２中III部の拡大図。
【図４】本考案の額縁の分解斜視図。
【考案を実施するための形態】
【００１７】
本考案の額縁は、外枠の空間部に着脱自在に立体装飾体が設けられている。立体装飾体は、被額装物を露出させる中抜き窓が形成された装飾板と、装飾板に固定された立体装飾物とからなり、立体装飾物は、立体形状の装飾物であれば特に限定されず、天然物であっても人工物であってもよい。例えば、プリザーブドフラワー、ドライフラワー、造花等がある。中抜き窓は、裏板（又は乾燥板材）に固定した被額装物を外部から視認可能なように露出させるもので、被額装物の形状に応じて各種形状に形成することが出来る。
【００１８】
立体装飾体は、複数用意し、適宜取り替えて使用するものであるので、板紙等で形成された保管用収容箱に収容保管することが好ましく、また、搬送する場合にも好適である。
【００１９】
外枠は、立体装飾体及び被額装物を内部空間に収容するもので、立体装飾物を収容できる空間を確保できれば、その厚みは立体装飾物の大きさにより適宜選択することが出来るが、厚みを大きくすると、外枠に邪魔され被額装物を視認出来る角度が小さくなるので、厚みを小さくすることが好ましい。すなわち、立体装飾物の厚みを、立体感を看取できる範囲で小さくし、外枠をそれに適合した厚みに設定することが好ましい。また、立体装飾物の厚みを大きくすると、照明の当て方により立体装飾物の影が被額装物に掛かる場合があるので、立体装飾物の厚みは小さくすることが好ましい。
【００２０】
段部は、立体装飾体の装飾板の周縁部を係合させ、裏板と共に挟持するものである。段部は、外枠と一体に形成しても、外枠とは別体として設けてもよく、外枠と一体に形成した場合は、透明板は嵌め殺しとなる。
【００２１】
裏板は、外枠の後面開口部に着脱自在に固定し、立体装飾体を段部との間で挟持するものであり、また、被額装物を所定位置（中抜き窓に対応する位置）に固定するものである。
【００２２】
裏板の内面略全面に湿気を吸収する乾燥板材を設けることが出来る。乾燥板材を設けることにより、額縁の内部空間の湿気を吸収して乾燥状態とすることが出来るので、湿気に脆弱な立体装飾物（プリザーブドフラワー、ドライフラワー等）や被額装物（写真等）を用いた場合、長期間変色、退色等の劣化を防止することが出来、また、裏板から発生する写真に悪影響を与える物質を遮断することが出来るので、写真を長期間変色、退色等の劣化を防止することが出来る。さらに、乾燥板材に、前記写真に悪影響を与える化学物質を吸収する物質を混入することが出来、このような写真に悪影響を与える化学物質を吸収する物質を混入することにより、写真をより一層変色、退色等の劣化から防止することが出来る。
【００２３】
乾燥板材としては、板紙、プラスチックシート等に湿気を吸収する物質を混入又は混練したものを用いることが出来る。また、乾燥板材は、乾燥効果が弱くなった場合、新たな乾燥板材と交換することにより、乾燥効率を高めることが出来る。
【００２４】
本考案の額縁に額装する被額装物としては、写真（遺影等）、絵画、版画、書等、従来額装されているものであれば特に限定されない。また、中抜き窓の範囲内であれば、レリーフ等であっても可能である。
【００２５】
以上のような額物において被額装物を額装するには、まず、裏板を外枠から外し、裏板の所定個所に被額装物を接着テープ等で固定する。次いで、立体装飾体を裏返し、装飾板の周縁部を段部に載置係合させ、立体装飾物を外枠内部に配置する。さらに、裏板を装飾板に載置した後、止めピンで裏板を外枠に固定する。これにより、装飾板は、段部と裏板とで挟持固定される。このように額装された額縁は、従来の方法により、壁等に掛けたり、額立てに掛けて飾る。
【００２６】
次に、本考案による額縁の一実施形態を図面を参照して説明する。
【００２７】
図１は写真を額装した状態の額縁の正面図、図２は図１中II-II線縦断面図、図３は図２中III部の拡大図、図４は額縁の分解斜視図である。
【００２８】
これらの図において、１０は外枠で、この外枠１０は長方形の枠状に形成されており、前面側（図２中左側）の内側周縁には内側に若干突出した係合片１１が形成されており、外枠１０の内部は後述する立体装飾物を収容する空間部１２となっている。そして、外枠１０の係合片１１には透明板としてのガラス板２０が嵌めこまれている。このガラス板２０の周縁部には、外枠１０と略相似形をすると共に係合片１１と略同じ幅を持つ長方形の内枠３０が設けられ、この内枠３０と係合片１１とでガラス板２０を挟持している。
【００２９】
内枠３０の後面側（図２中右側）の端面が段部３１となり、この段部３１に周縁部が係合した状態で立体装飾体４０が設けられている。この立体装飾体４０は、装飾板４１と立体装飾物としてのプリザーブドフラワー４２とからなり、装飾板４１の中央部分には、後述する遺影を露出させるための中抜き窓４３が形成されており、また、周縁部が前記段部３１に係合している。したがって、装飾板４１は内枠３０を介してガラス板２０と対向した状態となっており、この装飾体４１とガラス板２０とで囲まれた空間部１２にプリザーブドフラワー４２が収容され、このプリザーブドフラワー４２は額装する遺影の周辺に配置されることとなる。
【００３０】
立体装飾体４０の装飾板４１の後面の略全面には、湿気吸着剤及び化学物質吸着剤が混入された乾燥板材５０及び裏板６０とが密着した状態で連続して設けられ、裏板６０の後面と外枠１０の後面とが略同一平面上となっており、外枠１０の後面に設けた止めピン１３で裏板６０を外枠１０から外れるのを防止している。すなわち、外枠１０の係合片１１と止めピン１３とで、ガラス板２０、内枠３０、立体装飾体４０及び乾燥板材５０を一体に挟持固定している。また、乾燥板材５０は、前記空間部１２内の湿気を吸収するとともに写真等に悪影響を与える物質も吸収するので、プリザーブドフラワー４２の退色及び変色を長期にわたって抑制することが出来るともに、写真等の退色及び変色も長期にわたって抑制することが出来る。
【００３１】
以上のような額縁において、例えば、被額装物としての遺影ａを額装するには、乾燥板材５０の所定個所（中抜き窓４３に対応する個所）に接着テープ（図示せず）で固定することにより行なう。これにより、遺影ａは、中抜き窓４３を介して見ることができ、かつ、遺影ａの周囲には、プリザーブドフラワー４２が配置された状態となっており、立体的な美感を看取することが出来る。
【００３２】
次に、立体装飾体４０を取り外す方法について説明する。まず、止めピン１３を回転させて裏板１０を外枠１０から取り外す。すると、立体装飾体４０は挟持開放されるので、簡単に取り出すことが出来る。以上のように、立体装飾体４０は、裏板１０を取り外すだけで極めて簡単に取り出すことが出来る。
【符号の説明】
【００３３】
１０：外枠、１２：空間部、２０：ガラス板（透明板）、３０：内枠、３１：段部、４０：立体装飾体、４１：装飾板、４２：プリザーブドフラワー（立体装飾物）、４３：中抜き窓、５０：乾燥板材、６０：裏板、ａ：遺影（被額装物）
【図１】
0003198390.tif 000003
【図２】
0003198390.tif 000004
【図３】
0003198390.tif 000005
【図４】
0003198390.tif 000006